(57)【要約】      （修正有）【課題】実と殻の分離が極めて短時間ででき、殻を外に出さない小鳥等の餌の実殻分離装置を提供する。【解決手段】上端部に飛び上がる殻９の噴出可能な開口部を設け、底壁に実殻８、９の落下を阻止可能でかつ下方からの送風を通気可能な網状体を配設し、かつ底壁に設けた孔部から突出した撹拌機１２の回転軸１２ａに撹拌羽根７を固定し、非通気性の側壁を有する鳥餌の実殻８、９を収納可能な実殻収納箱４と、上端部に実殻収納箱４から飛来する殻９の送入可能な開口部を設け、底壁に殻９の落下を阻止可能でかつ上方からの送風を通気可能な網状体を配設し、かつ側壁を殻の飛び出しを阻止可能な網状体からなる内周壁と非通気性の外周壁との二重壁とし、内周壁と前記外周壁との間を送風の下方への流動のための流動路を形成した殻回収箱５とを備え、装置の全外周面を非通気性構造とし、送風を全箱一巡させるように循環可能に空気の流路を設けた。【選択図】図３
0003230770.tif 000002
【実用新案登録請求の範囲】
【請求項１】
鳥餌の実殻を分離する鳥餌の実殻分離装置であって、
上端部に飛び上がる殻の噴出可能な開口部を設け、下端部に実殻の落下を阻止可能でかつ下方からの送風を通気可能な網状体を配設し、かつ前記下端部に設けた孔部から突出した撹拌機の回転軸に撹拌羽根を固定し、非通気性の側壁を有する鳥餌の実殻を収納可能な略円筒状の実殻収納箱と、
上端部に前記実殻収納箱から飛来する殻の送入可能な開口部を設け、下端部に殻の落下を阻止可能でかつ送風を通気可能な網状体を配設し、かつ側壁を前記殻の飛び出しを阻止可能な網状体からなる内周壁と非通気性の外周壁との二重壁とし、前記内周壁と前記外周壁との間に送風の流動路を形成した殻回収箱と、を備え、
全外周壁面を非通気性壁面とし、送風を全箱一巡させるように循環可能に空気の流路を形成したことを特徴とする鳥餌の実殻分離装置。
【請求項２】
鳥餌の実殻を分離する鳥餌の実殻分離装置であって、
側壁の一部に送風の流路とする開口部を設け、上端部に送風が流入可能な開口部を設け、前記側壁に設けた開口部に向けて送風する送風機を内設した送風手段内設箱と、
前記送風手段内設箱の横に設置した、側壁に前記送風手段内設箱側の開口部と連通可能に開口部を設け、上端部に送風の流路とする開口部を設け、回転軸を上方に突出させた撹拌機を内設した撹拌機内設箱と、
前記撹拌機内設箱の上側に載置した、上端部に飛び上がる殻の噴出可能な開口部を設け、下端部に実殻の落下を阻止可能でかつ下方からの送風を通気可能な網状体を配設し、かつ前記下端部に設けた孔部から突出した撹拌機の回転軸に撹拌羽根を固定し、非通気性の側壁を有する鳥餌の実殻を収納可能な略円筒状の実殻収納箱と、
前記送風手段内設箱の上側に載設した、上端部に前記実殻収納箱から飛来する殻の送入可能な開口部を設け、下端部に殻の落下を阻止可能でかつ送風を通気可能な網状体を配設し、かつ側壁を前記殻の飛び出しを阻止可能な網状体からなる内周壁と非通気性の外周壁との二重壁とし、前記内周壁と前記外周壁との間に送風の流動路を形成した殻回収箱と、
前記実殻収納箱の上側及び前記殻回収箱の上側に載置した、前記実殻収納箱の上側の開口部と連通可能な開口部、及び、前記殻回収箱の上側の開口部と連通可能な開口部を備えた風洞箱と、を備え、
全外周壁面を非通気性壁面とし、送風を全箱一巡させるように循環可能に空気の流路を形成したことを特徴とする鳥餌の実殻分離装置。
【請求項３】
前記攪拌羽根が複数枚の攪拌羽根から構成され、前記攪拌羽根の形状を、下端側を上端側に対して回転方向側に傾斜させた形状としたことを特徴とする請求項１又は２に記載の鳥餌の実殻分離装置。
【考案の詳細な説明】
【技術分野】
【０００１】
本考案は、小鳥の食べ残した餌の中から餌の実と殻を分離する小鳥等の鳥餌の実殻分離装置に関する。
【背景技術】
【０００２】
従来から行われている鳥の餌の実殻の分離のやり方の一つは、鳥の食べ残した餌が入っている餌箱を上方から息を吹きかけて軽い殻を吹き飛ばすことが行われている。
【０００３】
特許文献１には、器に鳥の食べ残しの餌を入れ、吹き穴から空気を吹き込み餌に混入する空き殻を器に移す、鳥の餌と空き殻の分別器が開示されている。
【０００４】
特許文献２には、電気掃除機の吸引ホ&#822;スに接続される接続部を有する上流部よりも下流部の吸引力が小さくなるように形成された分離筒と、この分離筒の下流部に形成された前記吸引ホースの吸引力を調整する吸引力調整弁と、前記分離筒の外側面に取付けられた該分離筒のほぼ中央部より内部に小鳥等の餌を流入させるホッパーとからなる鳥等の餌の分離器が開示されている。
【先行技術文献】
【特許文献】
【０００５】
【特許文献１】特開２０１４−１３５９５０号公報
【特許文献２】特開平０６−２２５６５９号公報
【考案の概要】
【考案が解決しようとする課題】
【０００６】
小鳥の食べ残した餌が入っている餌箱を上方から息を吹きかけて軽い殻を吹き飛ばすと、軽い殻は空中に飛び散って、例えばベランダで行うとベランダに殻がまかれるので掃除が大変という問題があった。
【０００７】
特許文献１の発明は、小鳥の餌の実殻を入れた器の横壁に設けた通風口の高さが低いので息を上から下に向けて吹くので実も殻も下方に飛んで側方に飛ぶため、殻に交じって実も通風口からトレー上に飛び出すという問題があった。また、人が息を吹きかけるので時間がかかるという問題があった。また、前記トレーの前記通用口の対向側にも別の通風口を設けているので、トレーから外に殻が吹き出されてしまい周辺に殻が飛び散るという問題もあった。
【０００８】
特許文献２の発明は、電気掃除機の吸引力を分離筒の下方にいくほど弱くしているので、分離筒の途中に設けたホッパーから分離筒内に飛び出しホッパーから下方に移動して浮遊する殻を電気掃除機が吸引できない状況が生じ、その状況で電気掃除機の吸引を停止すると重力により分離筒内に散っている実と殻が餌箱内に落下するという問題があった。
【０００９】
本考案はこうした問題に鑑み創案されたもので、実と殻の分離が極めて短時間ででき、殻を外に出さない小鳥等の餌の実殻分離装置を提供することを課題とする。
【課題を解決するための手段】
【００１０】
請求項１に記載の鳥餌の実殻分離装置は、鳥餌の実殻を分離する鳥餌の実殻分離装置であって、上端部に飛び上がる殻の噴出可能な開口部を設け、下端部に実殻の落下を阻止可能でかつ下方からの送風を通気可能な網状体を配設し、かつ前記下端部に設けた孔部から突出した撹拌機の回転軸に撹拌羽根を固定し、非通気性の側壁を有する鳥餌の実殻を収納可能な略円筒状の実殻収納箱と、上端部に前記実殻収納箱から飛来する殻の送入可能な開口部を設け、下端部に殻の落下を阻止可能でかつ送風を通気可能な網状体を配設し、かつ側壁を前記殻の飛び出しを阻止可能な網状体からなる内周壁と非通気性の外周壁との二重壁とし、前記内周壁と前記外周壁との間に送風の流動路を形成した殻回収箱と、を備え、全外周壁面を非通気性壁面とし、送風を全箱一巡させるように循環可能に空気の流路を形成したことを特徴とする。
【００１１】
請求項２に記載の鳥餌の実殻分離装置は、鳥餌の実殻を分離する鳥餌の実殻分離装置であって、側壁の一部に送風の流路とする開口部を設け、上端部に送風が流入可能な開口部を設け、前記側壁に設けた開口部に向けて送風する送風機を内設した送風手段内設箱と、前記送風手段内設箱の横に設置した、側壁に前記送風手段内設箱側の開口部と連通可能に開口部を設け、上端部に送風の流路とする開口部を設け、回転軸を上方に突出させた撹拌機を内設した撹拌機内設箱と、前記撹拌機内設箱の上側に載置した、上端部に飛び上がる殻の噴出可能な開口部を設け、下端部に実殻の落下を阻止可能でかつ下方からの送風を通気可能な網状体を配設し、かつ前記下端部に設けた孔部から突出した撹拌機の回転軸に撹拌羽根を固定し、非通気性の側壁を有する鳥餌の実殻を収納可能な略円筒状の実殻収納箱と、前記送風手段内設箱の上側に載設した、上端部に前記実殻収納箱から飛来する殻の送入可能な開口部を設け、下端部に殻の落下を阻止可能でかつ送風を通気可能な網状体を配設し、かつ側壁を前記殻の飛び出しを阻止可能な網状体からなる内周壁と非通気性の外周壁との二重壁とし、前記内周壁と前記外周壁との間に送風の流動路を形成した殻回収箱と、前記実殻収納箱の上側及び前記殻回収箱の上側に載置した、前記実殻収納箱の上側の開口部と連通可能な開口部、及び、前記殻回収箱の上側の開口部と連通可能な開口部を備えた風洞箱と、を備え、全外周壁面を非通気性壁面とし、送風を全箱一巡させるように循環可能に空気の流路を形成したことを特徴とする。
【００１２】
請求項３に記載の鳥餌の実殻分離装置は、請求項１又は２において、前記攪拌羽根が複数枚の攪拌羽根から構成され、前記攪拌羽根の形状を、下端側を上端側に対して回転方向側に傾斜させた形状としたことを特徴とする。
【考案の効果】
【００１３】
請求項１又は２に記載の考案は、鳥の餌の実と殻の分離が１〜２分で約９５％で極めて短時間ででき、かつ殻を外に出さないので周囲から殻を取り除く清掃をしなくてもよいという効果を奏する。
【００１４】
請求項３に記載の考案は、鳥の餌の実と殻を下方から送風をかけながらかつ攪拌するので、下端部の網状体の上に山のようになって実の下に殻があるなど実と殻が混在している状態から殻のみが分離され、送風に乗ってすばやく殻が上方に吹き飛んでいき実は下端部の網状体上に滞留し、実と殻をすばやく分離するという効果を奏する。
【図面の簡単な説明】
【００１５】
【図１】本考案の正面視の概要図である。
【図２】本考案の平面視の概要図である。
【図３】図２のＡ−Ａ断面の概要説明図で実殻の分離状況の説明図である。
【図４】送風手段内設箱及び撹拌機内設箱の概要説明図で、（ａ）は平面視で内部構造説明用に一部を前後方向中央部で垂直断面視した概要説明図で、（ｂ）は正面視で内部構造説明用に一部を前後方向中央部で垂直断面視した概要説明図で、（ｃ）は攪拌羽根の斜視概要説明図である。
【図５】実殻収納箱の概要説明図で、（ａ）は平面視の概要説明図で、（ｂ）は正面視で内部構造説明用に一部を前後方向中央部で垂直断面視した概要説明図である。
【図６】風洞箱の正面視で内部構造説明用に前後方向中央部で垂直断面視した概要説明図である。
【図７】殻回収箱の概要説明図で、（ａ）は平面視の概要説明図で、（ｂ）は正面視で内部構造説明用に前後方向中央部で垂直断面視した概要説明図である。
【図８】空気の流れの説明図で、（ａ）は実殻収納箱内の空気の流れの説明図で、（ｂ）は風洞部内の空気の流れの説明図で、（ｃ）は殻回収箱内の空気の流れの説明図である。
【考案を実施するための形態】
【００１６】
本考案の小鳥等の鳥餌の実殻分離装置１は、小鳥の食べ残した餌がある餌箱の中から餌の実と殻を分離する装置である。一般的には、実８と殻９が混在したものに息を吹きかけて殻９のみを周囲に飛ばしたり、実８と殻９を収納した箱や皿を数回横に振って殻を上側に移動させてハンディクリーナーで吸い取る方法が行われているが、殻９が周囲に飛び散り汚くなるという問題、又は、吸い取る風力の調整が難しく実８も吸い込まれるという問題があった。
【００１７】
本考案の鳥餌の実殻分離装置１は、図１〜図７に示すように、鳥餌の実殻８、９を分離する鳥餌の実殻分離装置１であって、上端部４ｂに飛び上がる殻９の噴出可能な開口部を設け、下端部４ｃに実殻８、９の落下を阻止可能でかつ下方からの送風を通気可能な網状体１３を配設し、かつ前記下端部４ｃに設けた孔部から突出した撹拌機１２の回転軸１２ａに撹拌羽根７を固定し、非通気性の側壁４ａを有する鳥餌の実殻８、９を収納可能な略円筒状の実殻収納箱４と、上端部５ａに前記実殻収納箱４から飛来する殻９の送入可能な開口部を設け、下端部５ｂに殻９の落下を阻止可能でかつ送風を通気可能な網状体２１を配設し、かつ側壁５ｃ、５ｄを前記殻９の飛び出しを阻止可能な網状体２２からなる内周壁５ｃと非通気性の外周壁５ｄとの二重壁とし、前記内周壁５ｃと前記外周壁５ｄとの間に送風の流動路３１を形成した殻回収箱５と、を備え、全外周壁面を非通気性壁面とし、送風を全箱一巡させるように循環可能に空気の流路を形成している。
【００１８】
あるいは、鳥餌の実殻８、９を分離する鳥餌の実殻分離装置１であって、側壁２ａの一部に送風の流路とする開口部を設け、上端部２ｂに送風が流入可能な開口部を設け、前記側壁２ａに設けた開口部に向けて送風する送風機１１を内設した送風手段内設箱２と、前記送風手段内設箱２の横に設置した、側壁３ａに前記送風手段内設箱２側の開口部と連通可能に開口部を設け、上端部３ｂに送風の流路とする開口部を設け、回転軸１２ａを上方に突出させた撹拌機１２を内設した撹拌機内設箱３と、前記撹拌機内設箱３の上側に載置した、上端部４ｂに飛び上がる殻９の噴出可能な開口部を設け、下端部４ｃに実殻８、９の落下を阻止可能でかつ下方からの送風を通気可能な網状体１３を配設し、かつ前記下端部４ｃに設けた孔部から突出した撹拌機１２の回転軸１２ａに撹拌羽根７を固定し、非通気性の側壁４ａを有する鳥餌の実殻８、９を収納可能な略円筒状の実殻収納箱４と、前記送風手段内設箱２の上側に載設した、上端部５ａに前記実殻収納箱４から飛来する殻９の送入可能な開口部を設け、下端部５ｂに殻９の落下を阻止可能でかつ送風を通気可能な網状体２１を配設し、かつ側壁５ｃ、５ｄを前記殻９の飛び出しを阻止可能な網状体２２からなる内周壁５ｃと非通気性の外周壁５ｄとの二重壁とし、前記内周壁５ｃと前記外周壁５ｄとの間に送風の流動路３１を形成した殻回収箱５と、前記実殻収納箱４の上側及び前記殻回収箱５の上側に載置した、前記実殻収納箱４の上側の開口部と連通可能な開口部、及び、前記殻回収箱５の上側の開口部と連通可能な開口部を備えた風洞箱６と、を備え、全外周壁面を非通気性壁面とし、送風を全箱一巡させるように循環可能に空気の流路を形成している。
【００１９】
本考案の小鳥等の鳥餌の実殻分離装置１は、図１及び図２に示すように、送風手段内設箱２と、撹拌機内設箱３と、実殻収納箱４と、風洞箱６と、殻回収箱５とを備え、外周壁面には開口部がなく非通気性壁面で構成され実８や殻９の流出を防止できる構造である。
【００２０】
本考案の小鳥等の鳥餌の実殻分離装置１内の空気の流れ３０は、図３における矢印Ｙに示すように、送風手段内設箱２内に設置した送風機１１により発生し、その空気の流れ３０を撹拌機内設箱３、実殻収納箱４、風洞箱６、殻回収箱５そして送風手段内設箱２と順に一巡するように流動させている。そして実殻収納箱４内では、攪拌機１２により回転する攪拌羽根７により実８と殻９が混在している塊を崩して実８の下にある殻９を飛びやすくしている。
【００２１】
前記送風手段内設箱２は、図４に示すように、左右方向の一方の側壁２aと上端部２ｂに送風の流路とする開口部を設け、他の壁面を非通気性な面として、前記側壁２aに設けた開口部に向けて送風する送風機１１を内設している。前記送風機１１は、例えばターボファンが該当し、該ターボファン使用の場合には風量が多いので実殻８、９を掻き混ぜ殻９を遠くまで吹き飛ばすことができる。
【００２２】
前記送風手段内設箱２の上端部２ｂの開口部は、図３又は図８（ｃ）に示すように、殻回収箱５からの空気の流れ３０が流入してくる。また、前記側壁２a側の開口部は撹拌機内設箱２との連通路３２により鳥餌の実殻分離装置１の外部に送風が漏れないように密閉させている。
【００２３】
次に、前記撹拌機内設箱３は、図４に示すように、前記送風手段内設箱２の横に設置した、前記送風手段内設箱２側の側壁３aと上端部３ｂに送風の流路とする開口部を設け、他の壁面を非通気性な面として、回転軸１２ａを上方に突出させた撹拌機１２を内設している。前記撹拌機１２の回転軸１２ａは実殻収納箱４内に下方から突出させる。前記回転軸１２ａはマグネット１８にくっつく材質で造る。また、上側に実殻収納箱３を載設するための梁部１４を設けている。
【００２４】
前記送風手段内設箱２及び前記撹拌機内設箱３は同一ベース５０上の固定されている。また、前記ベース５０には起動釦４０が設けられ、スイッチＯＮで前記送風手段内設箱２内の送風機１１及び前記撹拌機内設箱３内の撹拌機１２が作動し、スイッチＯＦＦで前記送風手段内設箱２内の送風機１１及び前記撹拌機内設箱３内の撹拌機１２が作動停止する。
【００２５】
次に、前記実殻収納箱４は、図３又は図５に示すように、前記撹拌機内設箱３の上側に載置した、上端部４ｂ及び下端部４ｃに送風の流路とする開口部を設け、側壁４aを非通気性の面とし、前記下端部４ｃの開口部には鳥餌の実殻８、９の落下を阻止可能な網状体１３を配設し、かつ下端部４ｃに設けた孔部から突出した前記撹拌機１２の回転軸１２ａに撹拌羽根７を固定し、鳥餌の実８と殻９を収納可能としている。前記攪拌羽根７の中央部にはマグネット１８が嵌設されており、前記回転軸１２ａの上端部に前記攪拌羽根７が磁力により固着する。
【００２６】
前記下端部４ｃを網状体１３にしているので、投入した実８と殻９とを下方の前記撹拌機内設箱３内に落下させず、前記送風機１１で発生した空気の流れ３０を流入できる機能を果たす。
【００２７】
また、攪拌羽根７は、図５（ｃ）に示すように、複数枚の攪拌羽根７から構成され、前記攪拌羽根７の形状は下端側を上端側に対して回転方向側に傾斜させた形状としている。これにより、前記攪拌羽根７を回転方向Ｒに回転させると空気を上昇させることができる。そのため、網状体１３上に鳥類の実８と殻９との混在の塊を一気に分解させ、前記空気の流れ３０により軽い殻９を上方に吹き上げ重い実８を前記網状体１３の上面に堆積させて実８と殻９とをすばやく容易に分離する。
【００２８】
空気の流れ３０は、図３や図８（ａ）に示すように、攪拌羽根７による渦巻き状の気流と前記送風手段内設箱２からの下方から上方に吹き上げる気流とになる。これにより、実殻８，９から殻９をすばやく分離させ殻９のみを上昇させることができる。
【００２９】
実８と殻９の分離が完了し下端部４ｃの網状体１３上に実８が堆積すると、前記実殻収納箱４を取り出して鳥の餌として再使用ができる。
【００３０】
次に、前記風洞箱６は、前記実殻収納箱４の上側及び殻回収箱５の上側を覆って連結させる状態で設けられ、前記実殻収納箱４の上端部４ｂの開口部との対向位置に設けられた開口部、及び、前記殻回収箱５の上端部５ａの開口部との対向位置に設けられた開口部を形成し、他の壁は非通気性を有する。
【００３１】
前記風洞箱６は、図３、図６又は図８（ｂ）に示すように、空洞であり殻９を流動させる流路である。前記実殻収納箱４又は前記殻回収箱５を取り出すときは、取り出す前に鳥餌の実殻分離装置１から前記風洞箱６を取り外し、前記実殻収納箱４又は前記殻回収箱５をセットするときはセット後に鳥餌の実殻分離装置１に前記風洞箱６をセットする。
【００３２】
前記殻回収箱５は、図７に示すように、前記送風手段内設箱２の上側に載置した、上端部５ａと下端部５ｂに送風の流路とする開口部を設け、前記下端部５ｂに鳥餌の殻９の落下を阻止可能な網状体２１を配設し、側壁５ｃ、５ｄは鳥餌の殻９の落下を阻止可能な網状体２２からなる内周壁５ｃと非通気性の外周壁５ｄの二重壁としている。その二重壁の間を空気の流路３１として使用する。
【００３３】
前記二重壁としたことにより、前記風洞箱６から下ってきた空気の流れ３０は、図３又は図８（ｃ）に示すように、まず前記殻回収箱５内に流れ、その後は下端部５ｂの網状体２１を通過して前記送風手段内設箱２内に流入し、並びに、内周壁５ｃの網状体２２を通過して前記流路３１を通過して前記送風手段内設箱２内に流入する。これにより、殻９が下端部５ｂの網状体２１上に堆積した状態になって空気の流れ３０が流れにくくなっても空気の流れ３０は別ルートである前記流路３１を流下してスムースに流れることができる。
【００３４】
前記殻回収箱５内の下端部５ｂの網状体２１上に殻９が堆積すると、前記殻回収箱５を取り出して定められたごみ箱に廃棄する。前記殻回収箱５は前記風洞箱６を取り外すことにより前記殻回収箱５を容易に取り外しができる。
【００３５】
鳥餌の実殻分離装置１の使用例を説明する。まず、小鳥の巣箱内に残っている実８と殻９とが混在した餌箱を取り出して、前記餌箱から前記実殻収納箱４に移す。そして図１に示すように起動釦４０をＯＮする。
【００３６】
起動釦４０がＯＮすることにより、前記送風機１１及び前記撹拌機１２が起動する。前記送風機１１の起動により空気の流れ３０が発生し、前記撹拌機１２の起動により殻９が実８から容易に分離され舞い上がる。
【００３７】
重たい実８は前記実殻収納箱４内に留まり、軽い殻９は、前記風洞箱６まで上昇し前記殻回収箱５内に空気の流れ３０に乗って移動する。
【００３８】
移動してきた殻９は前記殻回収箱５内の下端部５ｂの網状体２１上に堆積していく。
【００３９】
前記実殻収納箱４の側壁４ａ及び前記殻回収箱５の外周壁５ｄを透明にしておれば、前記実殻収納箱４の実８の堆積状況、及び、前記殻回収箱５内の殻９の堆積状況が外部から目視で容易に認識できるので、適切なタイミングで起動釦４０をＯＦＦすることができる。
【００４０】
前記起動釦４０をＯＦＦさせると、前記送風機１１及び前記撹拌機１２が停止する。そして、前記実殻収納箱４を取り出し、残った実８を小鳥の餌箱に返す。また、前記殻回収箱５を取り出し堆積した殻９を決められたごみ箱に廃棄する。
【符号の説明】
【００４１】
１          鳥餌の実殻分離装置
２          送風手段内設箱
２a         側壁
２ｂ        上端部
３          撹拌機内設箱
３a         側壁
３ｂ        上端部
４          実殻収納箱
４ａ        側壁
４ｂ        上端部
４ｃ        下端部
５          殻回収箱
５ａ        上端部
５ｂ        下端部
５ｃ        内周壁
５ｄ        外周壁
６          風洞箱
７          攪拌羽根
８          実
９          殻
１１        送風機
１２        撹拌機
１２ａ      回転軸
１３        網状体
１４        梁部
１８        マグネット
２１        網状体
２２        網状体
３０        空気の流れ
３１        流路
３２        連通路
４０        起動釦
５０        ベース
【図１】
0003230770.tif 000003
【図２】
0003230770.tif 000004
【図３】
0003230770.tif 000005
【図４】
0003230770.tif 000006
【図５】
0003230770.tif 000007
【図６】
0003230770.tif 000008
【図７】
0003230770.tif 000009
【図８】
0003230770.tif 000010